(57)【特許請求の範囲】
【請求項１】
内周側から外周側へ光ヘッドが移動する第１の領域と、前記光ヘッドが前記外周側から前記内周側に移動し、前記第１の領域と同一面に形成され、且つ、前記第１の領域の外側に配置された第２の領域とを有し、
前記第１の領域は、前記内周側から第１の方向に延在するスパイラル形状を有し、前記第２の領域は、前記内周側から見て前記第１の方向とは逆の第２の方向に延在するスパイラル形状を有し、
前記第１の領域に対しては前記内周側から順次アドレス番号を付与し、前記第２の領域に対しては前記外周側から順次アドレス番号を付与し、
前記第１及び第２の領域のいずれか一方は記録可能領域が割り当てられ、他方には再生専用領域を割り当てられることを特徴とする光ディスク。
【請求項２】
内周側から外周側へ光ヘッドが移動する第１の領域と、前記光ヘッドが前記外周側から前記内周側に移動し、前記第１の領域と同一面に形成され、且つ、前記第１の領域の外側に配置された第２の領域とを有し、前記第１及び第２の領域は前記内周側から見て同一方向に延在するスパイラル形状を有し、
前記第１の領域に対しては前記内周側から順次アドレス番号を付与し、前記第２の領域に対しては前記外周側から順次アドレス番号を付与し、
前記第１及び第２の領域のいずれか一方は記録可能領域が割り当てられ、他方には再生専用領域を割り当てられることを特徴とする光ディスク。
【請求項３】
前記第１及び第２の領域の間に情報を記録することができない記録不能領域を更に有して、当該記録不能領域は前記第１及び第２の領域を交差することによって形成されることを特徴とする請求項１又は２に記載の光ディスク。
【請求項４】
前記第１及び第２の領域の間に、当該第１及び第２の領域のトラックピッチのうちの大きい方のトラックピッチの２倍以上の記録不能領域を更に有することを特徴とする請求項１又は２に記載の光ディスク。
【請求項５】
前記再生専用領域は、前記ディスクが当該ディスクを駆動する駆動装置の前記光ヘッドから見て時計回りに回転された状態で書き込まれたデータを格納することを特徴とする請求項１又は２に記載の光ディスク。
【請求項６】
前記第１及び第２の領域は、ＣＤ−Ｒ、ＤＶＤ−Ｒ、ＣＤ−ＲＷ、ＤＶＤ−ＲＷ、ＤＶＤ＋ＲＷ、ＭＯ、ＣＤ、ＣＤ−ＲＯＭ、ＤＶＤ−ＲＯＭ、ＤＶＤ−ＲＡＭ、ＤＶＤビデオ、ＤＶＤ−Ａｕｄｉｏいずれかを含むことを特徴とする請求項１又は２に記載の光ディスク。
【請求項７】
内周側から外周側へ光ヘッドが移動する第１の領域と、前記光ヘッドが前記外周側から前記内周側に移動し、前記第１の領域と同一面に形成され、且つ、前記第１の領域の外側に配置された第２の領域と、前記第１及び第２の領域の間に情報を記録することができない記録不能領域とを有して、前記第１及び第２の領域はスパイラル形状を有し、前記第１及び第２の領域のいずれか一方には記録可能領域が割り当てられ、他方には再生専用領域が割り当てられ、前記第１の領域に対しては前記内周側から順次アドレス番号を付与し、前記第２の領域に対しては前記外周側から順次アドレス番号を付与し、当該記録不能領域は前記第１及び第２の領域を交差することによって形成される光ディスクに記録及び／または再生を施す光ヘッドと、当該光ヘッドの位置を検出する検出機構と、前記光ディスクを回転駆動する回転機構と、前記検出機構が検出した前記光ヘッドの位置情報と、前記光ヘッドの前記位置に対応する前記トラックのスパイラルが延在する方向情報に基づいて、前記回転機構による前記光ディスクの回転方向を決定する制御部とを有することを特徴とする駆動装置。
【請求項８】
前記方向情報を、前記光ヘッドのトラッキング動作により取得することを特徴とする請求項７記載の駆動装置。
【請求項９】
前記光ヘッドは、トラッキングにおいて前記記録不能領域を超えてトレースできないことを特徴とする請求項７記載の駆動装置。
【請求項１０】
内周側から外周側へ光ヘッドが移動する第１の領域と、前記光ヘッドが前記外周側から前記内周側に移動し、前記第１の領域と同一面に形成され、且つ、前記第１の領域の外側に配置された第２の領域と、前記第１及び第２の領域の間に情報を記録することができない記録不能領域とを有し、前記第１及び第２の領域はスパイラル形状を有し、当該記録不能領域は前記第１及び第２の領域を交差することによって形成され、前記第１の領域に対しては前記内周側から順次アドレス番号を付与し、前記第２の領域に対しては前記外周側から順次アドレス番号を付与し、前記第１及び第２の領域のいずれか一方は記録可能領域が割り当てられ、他方には再生専用領域を割り当てられることを特徴とする光ディスクの前記第１及び第２の領域のうち前記再生専用領域に割り当てられた領域に基本データを予め格納するステップと、前記第１及び第２の領域のうち前記記録可能領域に割り当てられた領域に前記基本データに関連したデータを格納するステップとを有することを特徴とするデータ更新方法。
【請求項１１】
内周側から外周側へ光ヘッドが移動する第１の領域と、前記光ヘッドが前記外周側から前記内周側に移動し、前記第１の領域と同一面に形成され、且つ、前記第１の領域の外側に配置された第２の領域と、前記第１及び第２の領域の間に情報を記録することができない記録不能領域とを有し、前記第１及び第２の領域はスパイラル形状を有し、当該記録不能領域は前記第１及び第２の領域を交差することによって形成され、前記第１の領域に対しては前記内周側から順次アドレス番号を付与し、前記第２の領域に対しては前記外周側から順次アドレス番号を付与し、前記第１及び第２の領域のいずれか一方は記録可能領域が割り当てられ、他方には再生専用領域を割り当てられることを特徴とする光ディスクの前記第１及び第２の領域のうち前記再生専用領域に割り当てられた領域にソフトウェアを格納するステップと、
前記第１及び第２の領域のうち前記再生専用領域に割り当てられた領域に前記ソフトウェアが所定の状態で格納されているかどうか判断するステップと、
前記再生専用領域に前記ソフトウェアが前記所定の状態で格納されていると判断された場合に、前記第１及び第２の領域のうち前記記録可能領域に割り当てられた方に前記ソフトウェアのバージョンアップ情報を格納するステップと、
前記再生専用領域に前記ソフトウェアが前記所定の状態で格納されていないと判断された場合に、前記バージョンアップ情報の書き込みを拒絶するステップとを有することを特徴とするソフトウェアバージョンアップ方法。
【請求項１２】
前記所定の状態は、前記再生専用領域における特定の領域に前記ソフトウェアが格納されていることであることを特徴とする請求項１１記載のソフトウェアバージョンアップ方法。
【請求項１３】
前記所定の状態は、前記光ディスクが回転された状態で、前記再生専用領域に前記ソフトウェアが格納されていることであることを特徴とする請求項１１記載のソフトウェアバージョンアップ方法。
【発明の詳細な説明】
【０００１】
【発明の属する技術分野】
本発明は、一般に、光学的手段による記録及び／又は再生される記録担体、並びに、当該記録担体の駆動装置に係り、特に、記録構成又はフォーマットに特徴のあるディスク状記録担体と当該記録担体を記録及び／又は再生する駆動装置に関する。本発明は、例えば、データを予め格納して当該データの再生のみ許容する再生専用領域（以下、「ＲＯＭ領域」という。）とデータを新たに又は追加的に記録することができる記録可能領域（以下、「ＲＡＭ領域」という。）とが混在した光ディスクに好適である。
【０００２】
【従来の技術】
光記録担体として普及している光ディスクには、ＣＤ−ＲＯＭやＤＶＤ（Ｄｉｇｉｔａｌ Ｖｅｒｓａｔｉｌｅ Ｄｉｓｃ）に代表されるＲＯＭ媒体と追加記録可能なＣＤ−Ｒや各種光磁気記録担体、ＤＶＤ−ＲＡＭのような相変化記録担体がある。近年の情報産業の発達に伴い、光記録担体に求められる要求は単なる大容量化に止まらず多種多様な情報の効率的な配列及び利用にまで及んでいる。
【０００３】
かかる要求の一つを満足するために、ＲＯＭ領域とＲＡＭ領域の両方を利用可能な光ディスクが従来から提案されている。例えば、ＤＶＤでは一方の面に情報を記録したディスク状基板２枚あるいは片側がダミーとなるディスク状基板を情報を記録した面（信号面）を対向して貼り合わせることが規格で決められている。そして、光ディスクの一方の面にＲＯＭ領域を設け、他の面にＲＡＭ領域を設ける技術は、例えば、公開特許公報平成１０年第２２８６７３号により既に公知である。しかし、一のディスク面にＲＯＭ領域とＲＡＭ領域を混在させたい需要もある。
【０００４】
そこで、ＩＳＯ規格（例えば、ＩＳＯ／ＩＥＣ１３９６３）は、プリピットが形成された再生専用領域とアドレス情報ピットとサーボ用グルーブのみで形成されたデータ記録領域が同一基板上にあるパーシャルＲＯＭ型の光磁気ディスクを規定している。また、ＤＶＤ−ＲＡＭのように内周部にディスク全体の管理情報等を格納するＲＯＭ領域を有し、外周部にＲＡＭ領域を形成するタイプも存在する。光ディスクの同一面にＲＯＭ領域とＲＡＭ領域を混在させる技術は、例えば、特許公報第３０６３６４１号によっても提案されている。
【０００５】
【発明が解決しようとする課題】
しかし、ＲＯＭ領域とＲＡＭ領域を１本のスパイラルトラックにより構成して連続したアドレスを割り当てることが考えられるが、ＲＯＭデータの長さに応じてＲＡＭ領域のアドレスが変化することは交替情報等を含むディスクの管理領域が不都合にも定まらなくなり、記録再生動作が不安定になる。また、予めＲＯＭ容量が確定していないと効率よくデータ記録領域を配置することができないため、限られたディスク内の記録領域に効率よく記録することが困難になる。更に、従来の駆動装置の構造を大幅に変更すれば、駆動装置の大型化、複雑化、コストアップなどをもたらすため好ましくない。
【０００６】
このように、光ディスクの同一面にＲＯＭ領域とＲＡＭ領域を混在させる場合に、両者をどのように配置して、アドレスを割り当て、記録及び／又は再生するかは重要な問題となる。
【０００７】
【課題を解決するための手段】
そこで、このような従来の課題を解決する新規かつ有用な光記録担体、駆動装置、データ更新方法、及び、ソフトウェアバージョンアップ方法を提供することを例示的な概括的目的とする。
【０００８】
より特定的には、記録動作の安定性と多種多様な利便性を実現する光記録担体、駆動装置、データ更新方法、及び、ソフトウェアバージョンアップ方法を提供することを例示的な目的とする。
【０００９】
かかる目的を達成するために、本発明の一側面としてのディスク形状を有する光記録担体は、当該ディスクの内周側から第１の方向に延在するスパイラル状の第１の領域と、前記ディスクの前記第１の領域と同一面において、前記ディスクの外周側から前記第１の方向とは逆の第２の方向に延在するスパイラル状の第２の領域とを有し、前記第１及び第２の領域のいずれか一方には記録可能領域が割り当てられ、他方には再生専用領域を割り当てられる。
【００１０】
かかる光記録担体によれば、第１と第２の領域走行方向は逆なので光ヘッドの回転方向を反転させずに第１の領域をディスクの内周側から外周側に読み込み、第２の領域をディスクの外周側から内周側に読み込むことができる。
【００１１】
ここで、市場に出ている多くの駆動装置は一般にディスクを光ヘッドから見て反時計回りに回転させる。例えば、駆動装置がディスクを反時計回りに回転させた場合に光ヘッドがトラッキング状態において第１の領域の内周から外周にトレースするように第１の方向を設定し、第２の領域では反時計回りに回転させた場合に光ヘッドはトラッキング状態において外周から内周にトレースするように第２の方向が設定される。代替的に、駆動装置がディスクを時計回りに回転させた場合に光ヘッドがトラッキング状態において第１の領域の内周から外周にトレースするように第１の方向を設定し、第２の領域では時計回りに回転させた場合に光ヘッドはトラッキング状態において外周から内周にトレースするように第２の方向が設定してもよい。即ち、前記再生専用領域は、前記記録担体が当該記録担体を駆動する駆動装置の光ヘッドから見て時計回りに回転された状態で書き込まれたデータを格納してもよい。
【００１２】
また、再生専用領域に割り当てられた領域にメーカーがフォーマットを行い、記録可能領域に割り当てられた領域にユーザがフォーマットを行う構造にすれば、再生専用領域はメーカーのみが通常形成可能な特有の（例えば、ピットを使用した）フォーマットを行うのでユーザにはコピー不可能とすることも可能となり、不正コピーの防止に寄与することが可能になる。即ち、再生専用領域用のフォーマットと記録可能領域用のフォーマットとは異なっても構わない。また、再生専用領域に割り当てられた領域にソフトウェアを格納し、記録可能領域に割り当てられた領域に前記ソフトウェアを使用した結果を格納する構造にすれば、光記録担体のユーザがソフトウェア（例えば、ゲームソフト）についてその結果を記録するメモリ（メモリーカード等）を別途購入する必要性を排除する。
【００１３】
前記第１の領域は前記ディスクの前記内周側から順次付与されたアドレス番号を有し、前記第２の領域は前記ディスクの前記外周側から順次付与されたアドレス番号を有する。このように、前記第１及び第２の領域は、独立してアドレス付けがなされる。これにより、再生専用領域とは独立した記録可能領域における記録データ、交替情報等を含むディスクの管理領域が再生専用領域とは無関係に決定されるのでディスクの記録再生動作が安定する。
【００１４】
前記第１及び第２の領域の間に情報を記録することができない記録不能領域を更に有して、当該記録不能領域は前記第１及び第２の領域を交差することによって形成されてもよい。記録不能領域は記録領域の緩衝領域であり、少なくともクロストーク等で記録再生動作に影響を与えない領域として確保される。記録不能領域をミラー面にして第１及び第２の領域をミラー面の手前までヘッドにより形成することもできるが、この場合はヘッドの正確な位置決めが必要となる。そこで、両トラックを交差することによって記録不能領域を形成することによって製造が容易になる方法である。
【００１５】
光スポットの光学的干渉によるクロストークを避けるため、前記第１及び第２の領域の間に、当該第１及び第２の領域のトラックピッチのうちで大きい方のトラックピッチの２倍以上の記録不能領域を更に有してもよい。記録不能領域により前記第１及び第２の領域の独立性を維持することができる。記録不能領域の幅を第１及び第２の領域のトラックピッチ（即ち、隣接するトラックの間隔）の大きい方の２倍以上に設定することによって両トラック間のクロストークを十分に減少することができる。
【００１６】
異なる構造の記録領域は、例えば、ＣＤ−Ｒ、ＤＶＤ−Ｒ、ＣＤ−ＲＷ、ＤＶＤ−ＲＷ、ＤＶＤ＋ＲＷ、ＭＯ、ＣＤ、ＣＤ−ＲＯＭ、ＤＶＤ−ＲＯＭ、ＤＶＤ−ＲＡＭ、ＤＶＤビデオ、ＤＶＤ−Ａｕｄｉｏである。
【００１７】
本発明の別の側面としてのディスク形状を有する光記録担体は、当該ディスクの内周部及び外周部において同一方向に延在するスパイラル形状を有して、それぞれ異なる構造の記録領域が割り当てられる第１及び第２の領域と、前記第１及び第２の領域の間に情報を記録することができない記録不能領域を更に有して、当該記録不能領域は前記第１及び第２の領域を交差することによって形成される。記録不能領域により前記第１及び第２の領域の独立性を維持することができる。上述したように、前記第１及び第２の領域のいずれか一方には記録可能領域が割り当てられ、他方には再生専用領域を割り当てられることができる。
【００１８】
本発明の別の側面としてのディスク形状を有する光記録担体は、当該ディスクの内周側から第１の方向に延在するスパイラル状の第１の領域と、前記ディスクの前記第１の領域と同一面において、前記ディスクの外周側から前記第１の方向とは逆の第２の方向に延在するスパイラル状の第２の領域とを有し、前記第１及び第２の領域のそれぞれには異なる構造の記録領域が割り当てられる。かかる光記録担体は、第１及び第２の領域という２本の記録領域を有し、各領域には異なる構造の記録領域が割り当てられるため、格納される情報と利用のバリエーションを増加させることができる。つまり、ＲＯＭデータとＲＡＭデータはそのデータ量に応じてその境界を設定すればよく、記録可能最大容量での記録を実施する記録領域配分を行うことが可能である。なお、「異なる構造の記録領域」とは、書換え可能領域、追記可能記録領域、再生専用領域など記録可能性において異なる記録領域のみならず、ＤＶＤ-ＲＡＭとＤＶＤ＋ＲＷなど共に２種類の書換え可能であって構造の異なるものも含む趣旨である。
【００１９】
本発明の別の側面としての駆動装置は、上記光記録担体を駆動する。かかる駆動装置は、上記光記録担体を駆動して光駆動装置がその作用を奏することを補助する。
【００２０】
本発明の更に別の側面としてのデータ更新方法は、上述の光記録担体の前記第１及び第２の領域のうち前記再生専用領域に割り当てられた領域に基本データを予め格納するステップと、前記第１及び第２の領域のうち前記記録可能領域に割り当てられた領域に前記基本データに関連するデータを格納するステップとを有する。「基本データに関連するデータ」には、例えば、基本データを使用して作成された結果や、基本データの更新情報を含む。例えば、再生専用領域に割り当てられた領域にゲームソフトを格納し、記録可能領域に割り当てられた領域に前記ソフトウェアを使用した結果を格納する構造にすれば、光記録担体のユーザがゲームソフトの結果を記録するメモリを別途購入する必要性を排除する。また、基本データの更新情報は、新たなデータであってもよいし、基本データの一部を無効にするデータであってよい。このように、更新とは追加及び変更を含む概念である。
【００２１】
本発明の更に別の側面としてのバージョンアップ方法は、上記光記録担体の前記第１及び第２の領域のうち前記再生専用領域に割り当てられた領域にソフトウェアを格納するステップと、前記第１及び第２の領域のうち前記記録可能領域に割り当てられた領域に前記ソフトウェアのバージョンアップ情報を格納するステップとを有する。かかるバージョンアップ方法によれば、再生専用領域に記録された情報等を使用して基本ソフトを有しているユーザのみにバージョンアップを施すことができる。
【００２２】
前記ソフトウェアバージョンアップ方法は、前記第１及び第２の領域のうち前記再生専用領域に割り当てられた領域に基本ソフトウェアが所定の状態で格納されているかどうかを判断するステップと、前記ソフトウェアが格納されていると判断された場合に前記バージョンアップ情報を書き込むステップと、前記第１及び第２の領域のうち前記再生専用領域に割り当てられた領域にソフトウェアが格納されていない場合には前記バージョンアップ情報の書き込みを拒絶するステップとを更に有してもよい。また、前記所定の状態は、前記再生専用領域における（例えば、特定のアドレスを有する）特定の領域に前記ソフトウェアが格納されていることや、前記所定の状態は、前記記録担体が所定の回転方向（例えば、光ヘッドから見て時計回り）に回転された状態で、前記再生専用領域に前記ソフトウェアが格納されていることであってもよい。これにより、かかるバージョンアップ方法は不正コピーを防止することに寄与する。
【００２３】
本発明の他の目的及び更なる特徴は、以下、添付図面を参照して説明される実施形態により明らかにされる。
【００２４】
【発明の実施の形態】
図１を参照して、本実施形態の光記録担体としての光ディスク１について説明する。ここで、図１は、光ディスク１の概略平面図である。光ディスク１は、中心孔１０を中心として、スパイラル状の記録単位としてのトラック２ａを有する記録領域２と、その内周側にトラック２ａとは逆方向に延在するスパイラル状のトラック３ａを有する記録領域３と、記録領域２及び３の間に緩衝領域４とを有する。
【００２５】
光ディスクを駆動する後述する駆動装置（ドライブ）１００の光ヘッド１５０が光ディスク１の頭上にある場合を考える。かかる光ヘッド１５０から見て光ディスク１が反時計方向に回転すると、記録領域３における記録位置（即ち、光ヘッドの位置）は外周方向に移動し、一方、記録領域２における記録位置は内周方向に移動することが理解される。このように光ディスク１は、記録領域３においては内周から外側へ、記録領域２においては外周から内周へ記録していく構造である。かかる構造は、記録領域を完全に区別し、独立したアドレス番号を付与できるという利点を有する。本実施形態は、アドレス番号を、記録領域２においては外周から内周に付与し、記録領域３においては内周から外周に付与する。
【００２６】
本実施形態では、トラック２ａは、図１の中心孔１０の上から見た場合に、反時計回りに延在し、トラック３ａは時計回りに延在する。もっとも、異なる方向に延在する２つのスパイラル状のトラック２ａ及び３ａを記録領域２と３に割り当てるという点からは、トラック２ａは、図１の中心孔１０の上から見た場合に、時計回りに延在し、トラック３ａは反時計回りに延在してもよい。この場合、ドライブ１００は光ヘッド１５０から見て光ディスク１を時計方向に回転するシステムを構築すれば、本実施形態のように、記録領域３における記録位置は外周方向に移動し、記録領域２における記録位置は内周方向に移動する。
【００２７】
本実施形態の光ディスク１は、このように、２本のトラック２ａ及び３ａを有し、記録領域２及び３にアドレスを独立に付与している。ここで、記録領域２にＲＯＭ領域を割り当て、記録領域３にＲＡＭ領域を割り当てた場合について考えると、かかる光ディスク１は、アドレス番地が連続した番号として付与された、１本のスパイラル形状のトラックを有し、かかるトラック中にＲＯＭ領域及びＲＡＭ領域が混在している光ディスク（以下、「単一スパイラル光ディスク」という。）に対して以下の長所を有する。
【００２８】
即ち、単一スパイラル光ディスクでは、ＲＯＭ領域の長さが可変になるとＲＡＭ領域のアドレス番号は変化するため、記録動作を制御する上でＲＯＭデータの長さを計算しつつＲＡＭ領域のアドレス計算しなければならず、記録に依存する交替情報等の管理情報領域が定まらなくなって不都合である。予めＲＯＭ容量が確定していないと効率よくＲＡＭ領域を配置できなくなると共に最大記録容量も設定しにくいという問題もある。
【００２９】
これに対して、本実施形態の光ディスク１においては、ＲＯＭ領域及びＲＡＭ領域が割り当てられる２つの記録領域２及び３は、独立に作成されて及びアドレス付けされる。これにより、ＲＡＭ領域の位置はＲＯＭ領域とは独立に固定され、安定した交替管理等を実行して記録動作の安定化を図ることができると共に最大記録容量の設定も容易である。
【００３０】
また、本実施形態の光ディスク１は２つの記録領域２及び３を独立に作成しているので、それぞれに異なるフォーマットが施されることを可能にする。例えば、ＲＯＭ領域はメーカーのみが通常形成可能なフォーマットを行い、ＲＡＭ領域はユーザがフォーマットを行う構造にすることができる。このようなフォーマット構成は、ＲＯＭ領域に記録された情報をユーザは容易に（即ち、メーカーと同等の設備を備えていなければ）コピーすることができなくなるため、ＲＯＭ領域に格納されているデータの不当なコピーに対して向上されたセキュリティを付与することができる。換言すれば、光ディスク１は単一スパイラル光ディスクよりも高いセキュリティを提供することができる。
【００３１】
光ディスク１は、例えば、直径を１２０ｍｍとし、内周部を中心から６０ｍｍまで、外周部を１２０ｍｍまでとすると、内周部に追記型又は書き換え可能型のＲＡＭ領域とし、外周部を再生専用（書き換え不能）型のＲＯＭ領域とすることができる。以下、かかる光ディスク１の製造例について説明する。
【００３２】
例えば、内周部をＤＶＤ−ＲＷとする場合、リードインデータ、アドレス、トラックサーボ用グルーブ等のＤＶＤ−ＲＷフォーマットを形成した外径１２０ｍｍ、内径４０ｍｍ、厚さ０．６ｍｍディスク状ポリカーボネート樹脂（以下ＰＣと略す）基板を成形する。次いで、ＰＣ基板の信号面にスパッタ法により直径４０ｍｍから直径７８ｍｍまで透明誘電体層、相変化記録層、透明誘電体層、Ａｌ合金系反射層を順次積層することによって記録膜を形成する。次に、かかる反射層上にスピンコート法により約１０μｍの厚みで紫外線硬化型（以下ＵＶと略す）保護樹脂を塗布し、紫外線照射により硬化せしめ、ＵＶ保護膜層を形成する。なお、直径８０ｍｍから直径１２０ｍｍまではスパッタ時にマスクされて後述の外周部を形成する。
【００３３】
一方、内周部をＤＶＤ−Ｒとする場合は次のようにして作られる。即ち、リードインデータ、ユーザデータ記録領域、リードアウトデータのＤＶＤ−Ｒフォーマットを形成した外径１２０ｍｍ、内径１０ｍｍ、厚さ０．６ｍｍのＰＣ基板を成形する。次いで、ＰＣ基板の信号面に色素溶液をスピンコート法により塗布し、乾燥させた記録層の上にスパッタ法により直径４０ｍｍから直径７８ｍｍまでＡｕ反射層を順次積層することによって記録膜を形成する。次に、かかる反射層上にスピンコート法により約１０μｍの厚みでＵＶ保護樹脂を塗布し、紫外線照射により硬化せしめ、ＵＶ保護膜層を形成する。なお、直径８０ｍｍから直径１２０ｍｍまではスピンコート時にマスクされて後述の外周部を形成する。
【００３４】
また、内周部をＤＶＤ−ＲＡＭとする場合は次のようにして作られる。即ち、リードインデータ、アドレス、トラックサーボ用グルーブ等のＤＶＤ−ＲＡＭフォーマットを形成した外径１２０ｍｍ、内径１０ｍｍ、厚さ０．６ｍｍのディスク状ＰＣ基板を成形する。次いで、ＰＣ基板の信号面にスパッタ法により直径４０ｍｍから直径７８ｍｍまで透明誘電体層、相変化記録層、透明誘電体層、Ａｌ合金系反射層を順次積層することによって記録膜を形成する。その後、かかる反射層上にスピンコート法により約１０μｍの厚みでＵＶ保護樹脂を塗布し、紫外線照射により硬化せしめ、ＵＶ保護膜層を形成する。なお、直径８０ｍｍから直径１２０ｍｍまではスパッタ時にマスクされて後述の外周部を形成する。もちろん、内周部はＣＤ−ＲやＣＤ−ＲＷなどの構造でもよい。
【００３５】
一方、外周部をＤＶＤ−ＲＯＭにする場合は次のようにして作られる。即ち、リードインデータ、ユーザデータ領域、リードアウトデータのＤＶＤ−ＲＯＭフォーマットを上述のいずれかの内周部を有する外周部に形成する。次いで、ＰＣ基板の信号面にスパッタ法により直径８２ｍｍから直径１１９ｍｍまでＡｌ反射層を反射率が４５％乃至５０％の範囲になるように積層する。その後、かかる反射層上にスピンコート法により約１０μｍの厚みでＵＶ保護樹脂を塗布し、紫外線照射により硬化せしめ、ＵＶ保護膜層を形成する。もちろん、外周部は、ＣＤ、ＣＤ−ＲＯＭ、ＤＶＤビデオ等でもよい。
【００３６】
内周部と外周部のそれぞれには広く異なる構造の記録領域が割り当てられればよい。異なる構造の記録領域は、例えば、ＣＤ−Ｒ、ＤＶＤ−Ｒ、ＣＤ−ＲＷ、ＤＶＤ−ＲＷ、ＤＶＤ＋ＲＷ、ＭＯ、ＣＤ、ＣＤ−ＲＯＭ、ＤＶＤ−ＲＯＭ、ＤＶＤ−ＲＡＭ、ＤＶＤビデオ、ＤＶＤ−Ａｕｄｉｏなどを含むが、これに限定されるものではない。「異なる構造の記録領域」とは、書換え可能領域、追記可能記録領域、再生専用領域など記録可能性において異なる記録領域のみならず、ＤＶＤ-ＲＡＭとＤＶＤ＋ＲＡＭなど共に２種類の書換え可能であって構造の異なるものも含む趣旨である。
【００３７】
これらの任意の組合せも記録領域の異なる利点として混在が可能であり、例えば、ＲＯＭ領域としてＤＶＤ−ＲＯＭフーマットによる記録を行いＲＡＭ領域としてＣＤ−Ｒ記録を行うことも可能になる。外周部に記録するフォーマットは内周部とは異なるフォーマットになるため、ＣＤ系やＤＶＤ系にしてもリードイン部の配置等に互換性のあるフォーマットではないことに注意しなければならない。スタート位置を指定してある各種フォーマットに対し、外周部にＲＯＭ領域がある場合には、そのスタート位置を外周部に設定する必要があるためである。しかしながらこうした点に配慮した記録、ＲＯＭの場合はマスタリングを実行することによりＲＯＭ、ＲＡＭ領域が混在しながらも独自のアドレス付加による共用ディスクの作成が可能になる。
【００３８】
また、ＤＶＤ−Ｒ、ＤＶＤ−ＲＷ、ＤＶＤ−ＲＡＭ及びＤＶＤ−ＲＯＭを組み合わせるとフォーマット及び変復調方式が共通であるため従来の駆動装置（ドライブ）に対する変更が少ない。特に内周部側に記録可能領域を設けると、従前のドライブでの記録が可能な構成にすることができる。
【００３９】
記録領域２及び３の境界部には記録不能領域としての緩衝領域４が設けられ、スパイラル方向の異なるトラック２ａ及び３ａはここで閉じる。緩衝領域４は、隣接する記録領域２及び３のアドレスの記録再生動作にクロストーク等で影響を与えない範囲だけ設定される。かかる範囲は、例えば、少なくとも両記録領域２及び３のトラックピッチの大きい方の２倍以上である。
【００４０】
緩衝領域４は、使用上の定義できない領域であるために、例えば、何も記録されないミラー部として形成される。代替的に、緩衝領域４は、トラック２ａ及び３ａを交差して形成することによって形成されてもよい。両トラック２ａ及び３ａを交差すると交差領域は使用不能領域となり、緩衝領域として機能するからである。また、緩衝領域４をミラー部として記録領域２及び３ａの手前まで形成するには光ヘッドの正確な位置決めが必要となるが、緩衝領域４をトラックの交差することによって形成すればヘッドの正確な位置決めは不要となるために製造が容易になるという長所がある。
【００４１】
本実施形態の光ディスク１は、後述する光ディスク１Ａと異なり、ドライブのスピンドルモータの回転方向は一定であるため従来のドライブの設計変更量が少なくて済むという長所を有する。例えば、記録領域２にはＲＯＭデータを記録し、その後内周側からは先に記録した記録領域２の半径位置までをＲＡＭ領域とすれば、記録は通常の駆動装置で実施可能になる。
【００４２】
以下、図２を参照して、光ディスク１の変形例としての光ディスク１Ａについて説明する。ここで、図２は、光ディスク１Ａの平面図である。なお、図１に示す部材と同一の部材には同一の参照番号を付して重複説明を省略する。光ディスク１Ａは、中心孔１０を中心として、スパイラル状のトラック２ｂを有する記録領域２Ａと、その内周側にトラック２ｂと同一方向に延在するスパイラル状のトラック３ｂを有する記録領域３Ａと、記録領域２Ａ及び３Ａの間に緩衝領域４とを有する。
【００４３】
後述する光ヘッド１５０が光ディスク１Ａの頭上にある場合を考える。かかる光ヘッド１５０から見て光ディスク１Ａが反時計方向に回転すると、記録領域２Ａ及び３Ａにおける記録位置（即ち、光ヘッドの位置）は共に外周方向に移動することが理解される。記録領域２Ａにおいて外周から内周に記録位置が移動するためには後述するスピンドルモータ１４２を記録領域Ａにおいて反転させて時計回りに回転させる必要がある。かかるスピンドルモータ１４２による反転動作の結果、光ディスク１Ａは、記録領域３Ａにおいては内周から外側へ、記録領域２Ａにおいては外周から内周へ記録するようになる。光ディスク１Ａも、光ディスク１と同様に、記録領域を完全に区別し、独立したアドレス番号を付与できるという利点を有する。即ち、光ディスク１Ａもスピンドルモータ１４２による反転を利用して、アドレス番号を、記録領域２Ａにおいては外周から内周に付与し、記録領域３Ａにおいては内周から外周に付与することができる。
【００４４】
本実施形態では、トラック２ｂ及び３ｂは、図２の中心孔１０の上から見た場合に、共に時計回りに延在する。もっとも、同一方向に延在する２つのスパイラル状のトラック２ｂ及び３ｂを記録領域２Ａと３Ａに割り当てるという点からは、トラック２ｂ及び３ｂは、図２の上から見た場合に、共に反時計回りに延在してもよい。この場合、ドライブ１００は光ヘッド１５０から見て、スピンドルモータ１４２は記録領域３Ａは時計方向に回転し、記録領域２Ａは反時計方向に回転するシステムを構築すれば、本実施形態のように、記録領域３Ａにおける記録位置は外周方向に移動し、記録領域２Ａにおける記録位置は内周方向に移動する。
【００４５】
本実施形態の光ディスク１Ａは、このように、スピンドルモータ１４２を反転させるものの、記録領域２Ａ及び３Ａは内周から外周に至るまで同一方向に延在するスパイラル状のトラック２ａ及び３ａを有するため、ディスク面上の配置はディスク１よりも簡単になり、製造が容易になる。スピンドルモータ１４２は記録領域２Ａ及び３Ａにおいて反転することにより、光ディスク１と同様の記録を実施する。
【００４６】
スピンドルモータ１４２の反転により、同一記録領域内にＲＯＭ領域とＲＡＭ領域とが混在しないように識別することが容易になる。ドライブ１００内でＲＯＭ領域を駆動する動作モードをＲＯＭモードとし、ＲＡＭ領域を駆動する動作モードをＲＡＭモードとすると、ディスク１Ａを駆動するドライブ１００の動作状態を切り替えることにより、スピンドルモータ１４２を反転することができる。
【００４７】
ＲＯＭ領域へ常時アクセスすることが少ない場合には、ＲＯＭ領域への非アクセス時にスリープモードに入ってスピンドルモータ１４２は回転を停止して省電源化を図ってもよい。このようにＲＯＭ領域へのアクセスとＲＡＭ領域へのアクセスを時間的に隔離すると、ＲＡＭ領域のアドレス番号付加とＲＯＭ領域のアドレス番号付加は相互に無関係に実施できるため、ＲＯＭ単独あるいはＲＡＭ単独の記録再生システムとの相性がよくなる。スピンドルモータ１４２を反転するとＲＯＭ領域を記録領域２Ａに割り当てると、記録領域２Ａでは外周側からアドレス番号を外周から内周に増加するようにアドレス番号を付与することができる。これは従来の内周側から記録していたＲＯＭディスクの再生と全く同様であり、違うのはスタート位置とスピンドルモータが従来のＲＯＭと回転方向が逆になっている点である。一方、ＲＡＭ領域を記録領域３Ａに割り当てると、記録領域３Ａでは、例えば、ＣＤ−Ｒの記録のように内周部からリードイン領域とデータ記録領域を構築していくことになる。これは全く通常のＣＤ−Ｒと同じであり、マルチセッション等の従来の追加記録システムにも対応が可能である。この時の記録は、通常のＣＤ−Ｒ駆動装置の対応と全く同等に扱える。
【００４８】
以上説明したＲＯＭ領域とＲＡＭ領域の記録領域への割り当ては逆にしてもよく、この時はＲＯＭ領域が通常の規定フォーマット構成であり、ＲＡＭ領域は外周から内周に記録していくことになる。ＲＯＭ領域とＲＡＭ領域の境界はＲＯＭの記録するデータ量で決定するため、ＲＡＭ領域の範囲はＲＯＭ領域のデータ量で決定される。
【００４９】
以下、図３を参照して、光ディスク１を駆動可能な本発明の駆動装置１００について説明する。ここで、図３は、駆動装置１００のブロック図である。駆動装置１００は、ＣＰＵ１１０、メモリ１２０、記録・再生信号処理部１３０、スピンドルモータ１４２、スケール１４４、光ヘッド１５０、スピンドル制御回路１６０と、インターフェース部１７０とを有して、光ディスク１を着脱可能に収納することができる。なお、以下の説明では、特に断らない限り、光ディスク１は光ディスク１Ａを総括する。
【００５０】
ＣＰＵ１１０は各部の動作を制御すると共に後述する上位装置２００と交信することができる。メモリ１２０は、例えば、システムの動作プログラムやデータなどを格納するＲＯＭなどの不揮発性メモリと、光ヘッド１５０が光ディスク１から読み出した情報及び必要な制御プログラムを一時的に格納するＲＡＭなどの揮発性メモリとを含む。
【００５１】
記録・再生信号処理部１３０は、光ヘッド１５０が光ディスク１に記録する信号と光ディスク１から再生する信号を処理する。より具体的には、光ヘッド１５０から得られる再生信号の信号処理と、記録信号の変調や光ヘッド１５０による記録条件設定を行う。スピンドルモータ１４２はディスク１を光ヘッド１５０から見て時計回り又は反時計回りに回転する。
【００５２】
スケール１４４は、光ヘッド１５０の変位量や位置を検出する。スケール１４４は、例えば、磁気スケールユニットとして形成される。磁気スケールユニットは、例えば、駆動装置１００内に固定された板状基体に等間隔で長手方向に設けられた複数の磁石と、光ヘッド１５０を光ディスク１上で移動させるキャリッジに取り付けられ、磁石に対向するホール素子等の磁気センサとを有する。磁石は磁気センサから見てＮ、Ｓ、Ｎ、Ｓ等と整列し、磁気センサはその磁界変化を検出する。光ヘッド１５０が移動すると磁気センサと基体とが相対的に変位するから磁気センサからは磁界変化に対応して変化する電気信号が、光ヘッド１５０と基体との相対速度に比例した周波数で出力される。従って、この電気信号に含まれるパルス数をカウントすることによって、光ヘッド１５０と基体の相対変位量が検出でき、また単位時間当たりに検出される電気信号に含まれるパルス数を検出することによって光ヘッド１５０と基体との相対変位速度を検出することができる。
【００５３】
光ヘッド１５０は、光ディスク１を記録及び／又は再生するレーザ光を光ディスク１に照射する。本実施形態の駆動装置１００は、このように、２つの記録領域２及び３に対して一の光ヘッド１５０を有する。スピンドル制御回路１６０は、スピンドルモータ１４０の回転方向及び速度を制御する。ＣＰＵ１１０は、スケール１４４からの光ヘッド１５０の位置情報とスピンドル制御回路１６０からの回転情報に基づいて、記録再生制御及び駆動制御を行う。インターフェース部１７０は、ドライブ１００を上位装置であるパーソナルコンピュータ（以下、「ＰＣ」という。）などの外部装置２００に接続する。なお、各コンポーネントには当業界で既知のいかなる構成をも適用することができるので、各部の詳細な構造はここでは省略する。
【００５４】
以下、駆動装置１００の一般的な動作について説明する。本実施形態では駆動装置１００は光ディスク１又は１Ａを駆動する専用の駆動装置であるが、別の実施形態においては、駆動装置１００は光ディスク１、１Ａ、その他の光ディスクを駆動することができる。なお、駆動装置１００が、複数の種類の光ディスクを駆動する場合、まず、駆動装置１００は搭載された光ディスクの識別を行う。この結果、ＣＰＵ１１０は、光ディスクを識別してその回転方法や交替情報等の管理情報を把握する。識別情報は例えば、光ディスクの最外周又は最内周のトラックに設けられた管理領域に書き込まれる。管理領域の読み出すための条件（アクセス位置、回転方法（回転速度や回転方向）やレーザ光のパワーなど）は予めメモリ１２０にファームウェアなどの一部として設定されている。
【００５５】
以下、駆動装置１００が光ディスク１を駆動する場合について説明する。ＣＰＵ１１０は、駆動装置１００に接続された上位装置（本実施形態ではＰＣ）２００からの記録再生命令に応答して管理情報を光ディスク１から取得するように試みる。光ディスク１の管理領域にアクセスするための上述の条件はメモリ１２０にファームウェアなどの一部として予め格納されている。ＣＰＵ１１０は、メモリ１２０に格納されたファームウェアが予め設定した光ディスク１上の位置から管理情報を取得したかどうかを判断する。ＣＰＵ１１０は、予め設定された位置から所定の管理情報を取得しないと判断すれば、搭載された光ディスク１は駆動装置１００がサポートするディスクではなく起動できないと判断して駆動を中止する。同時に、ＣＰＵ１１０は、その旨を上位装置２００に送信して、そのディスプレイに表示させる。
【００５６】
一方、ＣＰＵ１１０は、光ディスク１から管理情報を得た場合、ＣＰＵ１１０は、光ディスク１の構造（例えば、ＲＯＭ領域とＲＡＭ領域の配置）を把握する。光ディスク１にＲＯＭ領域とＲＡＭ領域とが配置されている場合、上位装置２００からの記録再生命令を実行するに際して、ＣＰＵ１１０は、光ヘッド１５０がＲＯＭ領域上にある場合には光ヘッド１５０に再生のみを許容し、ＲＡＭ領域上にある場合には光ヘッド１５０に記録再生を許容する。
【００５７】
より具体的には、光ヘッド１５０がＲＯＭ領域及びＲＡＭ領域から再生した信号は記録・再生信号処理部１３０が復調し、ＣＰＵ１１０が、インターフェース部１７０を介して上位装置２００に送信する。上位装置２００は、ディスプレイやスピーカーなどの出力装置を介してかかる情報を出力する。また、ＣＰＵ１１０が上位装置２００からインターフェース部１７０を介して受信した情報は、信号は記録・再生信号処理部１３０が変調した後で光ヘッド１５０がＲＡＭ領域に書き込む。
【００５８】
なお、ＣＰＵ１１０は、初期動作を行って光ディスク１の回転方向を決定することができる。例えば、スケール１４４からの出力によりトラックスパイラル方向が特定できる場合、初期動作においてＣＰＵ１１０は、光ディスク１の特定位置に光ヘッド１００を位置決めする。この結果、ＣＰＵ１１０は、スパイラルの方向を特定することができるのでスピンドルモータ１４２の回転方向を決定する。
【００５９】
また、ＣＰＵ１１０は、トラッキングを利用してスパイラル方向を検出することも可能である。トラック２ａ及び３ａはスパイラル状に形成されているため、トラッキング状態で進むとスケール情報から光ヘッド１５０の進行方法を知ることができる。ＣＰＵ１１０は、その進行方向がフォーマット上正常である（即ち、現在のスピンドルモータ１４２による回転方向によれば記録領域３における記録位置は内周から外周に移動し、記録領域２における記録位置は外周から内周に移動する）場合には、スピンドルモータ１４２の回転方向は維持する。一方、光ヘッド１５０の進行方向が正常ではないと判断すると、ＣＰＵ１１０はスピンドル制御回路１６０に命令してスピンドルモータ１４２の回転方向を反転させる。ＣＰＵ１１０は、フォーマット上正常であるかどうかの判断を、記録・再生信号処理部１３０からの再生信号から判断する。ＣＰＵ１１０は、再生信号から適正な信号が得られれば光ディスク１は適正な回転方向に駆動されていると判断する。
【００６０】
上述したように、光ディスク１の場合には、スピンドルモータ１４２の回転方向は変化しないから、ＣＰＵ１１０は、他の記録領域においてもスピンドルモータ１４２の回転方向を維持する。
【００６１】
なお、本実施形態の駆動装置１００は、緩衝領域４を、光ディスク１を使用する際に意識的に検出したり、緩衝領域４に基づいて回転制御を行ったりしない。光ディスク１においては、トラック２ａ及び３ａのスパイラル方向が逆であるから、光ヘッド１５０は、緩衝領域４から先の領域にはトラッキング動作によるトレースでは移動することができず、緩衝領域４は自動的にガードバンドとしての機能を果たす。
【００６２】
光ディスク１Ａが使用される場合には、ＣＰＵ１１０は、光ヘッド１６０の位置に応じてスピンドル制御回路１６０を介してスピンドルモータ１４０の回転方向を制御する。光ディスク１Ａに対する回転制御以外の記録再生動作は光ディスク１と同様である。光ディスク１Ａの回転方向を決定する方法は、ＣＰＵ１１０は、上述した管理情報、初期動作、トラッキングを利用することができる。ここで、上述したように、スピンドルモータ１４２は記録領域２Ａ及び３Ａに対して回転方向が反転するから、ＣＰＵ１１０は、上述の初期動作とトラッキングを両記録領域２Ａ及び３Ａにおいて実行すればよい。
【００６３】
なお、ＣＰＵ１１０は、アドレスの検出によって記録領域２Ａ及び３Ａを判断するが、緩衝領域４の検出はミラー部の検出又はアドレスの連続エラー発生（逆方向からの記録は読めないため）によりその存在を検出する。
【００６４】
本発明の光ディスク１は様々な利用が可能である。以下、光ディスク１の利用例について説明する。
【００６５】
例えば、ゲームソフトでは、ＲＯＭ領域にゲームソフトを記録し、ＲＡＭ領域にユーザによるゲーム結果を記録することができる。従来のＣＤ−ＲＯＭ等に格納されて販売されるゲームソフトはゲーム結果を記録できず、ユーザはゲーム機に専用のメモリーカードを不都合にも購入する必要があった。また、ディスクにはゲーム結果を格納する記録領域が十分に存在するのが実情である。本発明の光ディスク１や１Ａを使用すれば、ユーザはメモリーカードを購入する必要がないので経済的にも資源的にも便宜である。
【００６６】
また、あるソフトウェアはバージョンアップされるものがある。本ディスク１又は１Ａを使用すれば、正規のユーザにのみバージョンアップを施すことができる。かかる利用法について、図４を参照して説明する。ここで、図４は、光ディスク１又は１Ａ（以下、光ディスク１で総括する。）の利用例としてのバージョンアップ方法を示すフローチャートである。前提として、光ディスク１にＲＯＭ領域とＲＡＭ領域とを形成する。ここでは、ＲＯＭ領域を記録領域２に、ＲＡＭ領域を記録領域３に割り当てる。
【００６７】
まず、あるソフトウェア（例えば、ゲームソフト）をＲＯＭ領域としての記録領域２に書換え不能に記録する。基本ソフトのバージョンは最初のバージョンであってもよいし、それ以外のバージョンであってもよい。本実施形態では、基本ソフトとはＲＯＭ領域に書換え可能に記録されたソフトウェアをいう。
【００６８】
本実施形態では、バージョンアップ情報がインターネットを介して圧縮データで配信されるものとし、圧縮データを解凍するには鍵やパスワードが必要であるものとする。
【００６９】
基本ソフトをバージョンアップする際（ステップ１００４）、上位装置２００は、インターネットを介してバージョンアップ情報をダウンロードする。次いで、上位装置２００は駆動装置１００のＣＰＵ１１０に鍵又はパスワードを依頼する。
【００７０】
これに応答して、ＣＰＵ１１０は、バージョンアップを必要とするユーザが正規の基本ソフトを所有しているかどうかを判断する（ステップ１００６）。ＣＰＵ１１０は、例えば、ＲＯＭ領域の特定の領域に基本ソフト又はその識別情報が所定の回転方向で格納されているかどうかを判断する。
【００７１】
従って、ＣＰＵ１１０は、基本ソフトがＲＡＭ領域に格納されていたり、ＲＯＭ領域の特定の領域に基本ソフトの識別子が格納されていなかったり、ＲＯＭ領域に本来書き込まれるべき回転方向と逆方向で基本ソフトが書き込まれていたりする場合にはバージョンアップを拒絶しその旨を上位装置２００に通知する（ステップ１００８）。上位装置２００は図示しないディスプレイなどにその旨を表示する。ＣＰＵ１１０による拒絶は、本実施形態では、バージョンアップ情報の圧縮データを解凍するための鍵やパスワードを上位装置２００に与えない又は与えることができないことである。この結果、ユーザはバージョンアップ情報を得ることができない。
【００７２】
一方、ＣＰＵ１１０は、バージョンアップ情報を必要とするユーザが正規の基本ソフトを所有していると判断すれば鍵又はパスワードを上位装置２００に与える。次いで、上位装置２００は、解凍したバージョンアップ情報を駆動装置１００に送信してＲＡＭ領域に格納するように命令し、ＣＰＵ１１０は、これに応答して、バージョンアップ情報を記録領域３に格納する（ステップ１０１０）。これにより、基本データを購入した正規のユーザのみがバージョンアップのサービスを受けることができる。このように、光ディスク１又は１Ａによれば、ＲＯＭ領域に格納されたデータに関連するデータ（即ち、追加データ、更新データ、補助データなど）をＲＡＭ領域に格納することができるという長所を有する。
【００７３】
以上、本発明の好ましい実施形態について説明したが、本発明はこれらの実施形態に限定されず、その要旨を逸脱しない限り、様々な変形及び変更を行うことができる。特に、上述したように、本発明はＤＶＤ系のディスクに限定されず、あらゆる光ディスクに適用することができる。
【００７４】
【発明の効果】
本発明の光記録担体によれば、第１及び第２の領域のそれぞれには異なる構造の記録領域（繰返し記録可能型、ライトワンス型、再生専用型等）が割り当てられるため、格納される情報と利用のバリエーションを増加させることができ、多様化する情報を多様化するニーズ（コピー防止、バージョンアップなど）に応じて記録することができ、併せて、安定した記録動作を確保することができる。
【図面の簡単な説明】
【図１】  本発明の第１実施形態の光ディスクの平面図である。
【図２】  本発明の第２実施形態の光ディスクの平面図である。
【図３】  図１又は図２に示す光ディスクを駆動する駆動装置のブロック図である。
【図４】  図１又は図２に示す光ディスクの利用例を示すフローチャートである。
【符号の説明】
１、１Ａ      光ディスク
２、２Ａ      外周側記録領域
２ａ、２ｂ    外周側記録トラック
３、３Ａ      内周側記録領域
３ａ、３ｂ    内周側記録トラック
４            緩衝領域
１００        駆動装置
【図１】
0004107834.tif 000002
【図２】
0004107834.tif 000003
【図３】
0004107834.tif 000004
【図４】
0004107834.tif 000005